(57)【要約】【課題】  例えば、ロープ状のスリングと環状挿通部との間に適度な摩擦を付与したりすることによって取り扱い性の向上を図り、異なる断面積のスリングへの適用範囲を広げたりすることによって製造時の汎用性の向上を図ることのできる荷吊り用具と、それに用いるスリング挿通補助部材を提供する。また、これらによって、安価な荷吊り用具とその製造方法を提供する。【解決手段】  スリング挿通補助部材４３０は、リング部４２１の内側に挿入される本体部４３１と、リング部４２１に着座するフランジ部４３２と、を有しており、リング部４２１に固定・保持されている。スリング挿通補助部材４３０は、リング部４２１を移動方向の両側から挟むように一対設けられている。各スリング挿通補助部材４３０は、本体部４３１がリング部４２１内で背中合わせとなるようにそれぞれ挿入され、本体部４３１同士をリベット締め４４０することによって互いに固着・一体化され、リング部４２１からの抜け止めがなされている。【選択図】        図２
2006069717.tif 000002
【特許請求の範囲】
【請求項１】
長手方向両端に形成されたアイ部のうち一端側のアイ部が巻上機等の外部フックに掛止されて吊上げ対象物に１回又は複数回掛け回されるロープ状のスリングと、
前記スリングが挿通されるとともにそのスリングの長手方向（以下、移動方向という）に沿って相対移動可能な環状挿通部と、その環状挿通部に基端部を支持されるとともに前記スリングの径方向（以下、突出方向という）に突出する先端部でそのスリングの他端側のアイ部を掛止可能なフックと、を有するスリング保持部材と、
前記環状挿通部の内側に挿入される本体部と、その環状挿通部に着座するフランジ部と、を有し、前記環状挿通部に固定・保持されたスリング挿通補助部材と、を備え、
前記スリング挿通補助部材の本体部には、前記スリングを挿通するために、前記移動方向に沿ってスリング挿通孔が貫通形成され、かつ、そのスリング挿通孔のフック突出側の壁面には、前記スリングと係合する係合部が形成され、
荷掛け前又は荷外し後の非玉掛け作業時に、前記係合部がフック突出側から前記スリングに接触することにより生じる摺動抵抗によって、前記スリング保持部材及びスリング挿通補助部材とスリングとの相対移動を阻止可能としたことを特徴とする荷吊り用具。
【請求項２】
作業者により前記フックの先端部に前記スリングを掛け止める際、及び／又は前記巻上機等の外部フックにより前記吊上げ対象物を吊り上げる際のような玉掛け作業時に、前記スリング保持部材及びスリング挿通補助部材とスリングとは前記係合部とスリングとの係合を解除して摺動抵抗を緩和された形態で相対移動可能である請求項１に記載の荷吊り用具。
【請求項３】
前記スリング挿通補助部材は、前記スリング保持部材の環状挿通部を前記移動方向の両側から挟むように一対設けられるとともに、前記本体部が前記環状挿通部内で背中合わせとなるようにそれぞれ挿入されて互いに固着されている請求項１に記載の荷吊り用具。
【請求項４】
前記係合部が形成された前記スリング挿通孔のフック突出側の壁面は、前記移動方向から見て前記突出方向のフック突出側とは反対側に向けて連続的又は断続的に幅拡大する形態を有する請求項１に記載の荷吊り用具。
【請求項５】
前記係合部は、前記スリング挿通孔のフック突出側の壁面において、前記移動方向に沿って互いに平行な筋状に形成された複数の凹部又は凸部を含む請求項１に記載の荷吊り用具。
【請求項６】
請求項１ないし５のいずれか１項に記載の荷吊り用具に用いられ、前記スリング保持部材の環状挿通部に固定・保持され、前記スリング挿通孔に前記スリングが挿通されることを特徴とするスリング挿通補助部材。
【請求項７】
請求項１ないし５のいずれか１項に記載の荷吊り用具の製造方法であって、
前記スリング保持部材の環状挿通部に前記スリング挿通補助部材を固定・保持する第一工程と、
前記スリング保持部材の環状挿通部及び前記スリング挿通補助部材のスリング挿通孔に前記スリングを挿通する第二工程と、
前記スリングの長手方向両端に前記アイ部をそれぞれ形成する第三工程と、を含むことを特徴とする荷吊り用具の製造方法。
【請求項８】
前記第一工程において、一対の前記スリング挿通補助部材の本体部を前記スリング保持部材の環状挿通部内で背中合わせとなるようにそれぞれ挿入して、前記フランジ部を前記環状挿通部にそれぞれ着座させ、前記本体部同士を固着して一体化することによって、一対の前記スリング挿通補助部材を前記環状挿通部に固定・保持する請求項７に記載の荷吊り用具の製造方法。
【発明の詳細な説明】
【技術分野】
【０００１】
本発明は、玉掛け作業のための荷吊り用具とその荷吊り用具に用いられるスリング挿通補助部材に関し、さらにその荷吊り用具の製造方法に関する。
【背景技術】
【０００２】
玉掛け作業のために、両端にアイ・スプライス（アイ部）を形成したロープ（スリング）の中間に、長手方向に移動自在に閉塞部付きフックを取り付けた玉掛けロープ（荷吊り用具）が提案されている（特許文献１参照）。
【０００３】
【特許文献１】実開平６−１６３７５号公報
【０００４】
特許文献１によれば、玉掛け（荷掛け・荷外し）作業が容易かつ短時間で行える利点がある。ところが、このような玉掛けロープは、フックを支持する環部（リング）にアイ・スプライスを両端に有するロープが挿通されているだけなので、実際に取り扱う上で次のような不具合を生じるおそれがある。
【０００５】
（１）ロープと環部との間の摩擦が大きい場合には、作業者によりフックにロープを掛け止める際や、巻上機等の外部フックにより吊り荷を吊り上げる際のような玉掛け作業時に、両者間の摩擦による摺動抵抗によってロープと環部との円滑な移動が阻害されやすい。したがって、ロープと環部との間に所定以上の力が作用したとき急に移動を開始することになるため、特にロープには過大な負荷が掛かり、ロープの伸び・摩擦熱の発生等による損傷を受けるおそれがある。さらに、合成繊維製のベルトスリング等を用いた場合には、ベルトスリングが摩擦熱で溶けて塑性変形したり互いに融着したりするおそれもある。一方、ロープと環部との間の摩擦が小さい場合には、荷掛け前又は荷外し後の非玉掛け作業時にフックの自重によって環部がロープに沿って滑落しやすくなる。したがって、玉掛け作業を開始する毎に作業者により環部（及びフック）を所定位置に再移動しなければならなくなるため、特に長い玉掛けロープでは、迅速な玉掛け作業を阻害するおそれがある。そして、乾燥時と雨等で濡れた時とで摩擦の大小が不安定かつ不規則に変化するため、玉掛け作業の際の玉掛けロープの取り扱いがさらに困難になる。
【０００６】
（２）吊り荷の形態（大きさ、形状、性状等）に応じて長さ・材質等の他に、断面積（断面直径）の異なるロープが使用される場合がある。その際、アイ・スプライスは、玉掛け作業時等に環部を通り抜けてしまわないように環部よりも大径に形成されているため、組立後のロープ交換は通常できない。また、上記（１）のような不具合をできるだけ抑制するために、ロープの断面積（断面直径）に応じて環部の内周面積（内周直径）を変更することが望ましい。しかし、環部とフックとが一体形のものでは、ロープの断面積（断面直径）毎に玉掛けロープ（荷吊り用具）全体を変更して設計・製造（組立）する必要があり、安価な荷吊り用具を提供することが困難になる。
【発明の開示】
【発明が解決しようとする課題】
【０００７】
本発明の課題は、例えば、ロープ状のスリングと環状挿通部との間に適度な摩擦を付与したりすることによって取り扱い性の向上を図り、異なる断面積のスリングへの適用範囲を広げたりすることによって製造時の汎用性の向上を図ることのできる荷吊り用具と、それに用いるスリング挿通補助部材を提供することにある。また、それらによって、安価な荷吊り用具とその製造方法を提供する。
【課題を解決するための手段及び発明の効果】
【０００８】
上記課題を解決するために、本発明の荷吊り用具は、
長手方向両端に形成されたアイ部のうち一端側のアイ部が巻上機等の外部フックに掛止されて吊上げ対象物に１回又は複数回掛け回されるロープ状のスリングと、
前記スリングが挿通されるとともにそのスリングの長手方向（以下、移動方向という）に沿って相対移動可能な環状挿通部と、その環状挿通部に基端部を支持されるとともに前記スリングの径方向（以下、突出方向という）に突出する先端部でそのスリングの他端側のアイ部を掛止可能なフックと、を有するスリング保持部材と、
前記環状挿通部の内側に挿入される本体部と、その環状挿通部に着座するフランジ部と、を有し、前記環状挿通部に固定・保持されたスリング挿通補助部材と、を備え、
前記スリング挿通補助部材の本体部には、前記スリングを挿通するために、前記移動方向に沿ってスリング挿通孔が貫通形成され、かつ、そのスリング挿通孔のフック突出側の壁面には、前記スリングと係合する係合部が形成され、
荷掛け前又は荷外し後の非玉掛け作業時に、前記係合部がフック突出側から前記スリングに接触することにより生じる摺動抵抗によって、前記スリング保持部材及びスリング挿通補助部材とスリングとの相対移動を阻止可能としたことを特徴とする。
【０００９】
この荷吊り用具によれば、スリング挿通孔のフック突出側の壁面に形成された係合部がスリングに接触することにより、スリング保持部材及びスリング挿通補助部材とスリングとの相対移動が阻止される。したがって、荷掛け前又は荷外し後の非玉掛け作業時（すなわち、スリング弛緩時）に、スリング表面が少なくとも部分的に係合部に接触するので、フックの自重に基づきスリング保持部材及びスリング挿通補助部材がスリングに沿って滑落することを防止できるようになる。
【００１０】
一方、玉掛け作業時（すなわち、作業者によりフックにスリングを掛け止める際や、巻上機等の外部フックにより吊上げ対象物を吊り上げる際のようなスリング緊張時）には、スリング保持部材及びスリング挿通補助部材とスリングとは、係合部とスリングとの係合を解除して、摺動抵抗を緩和（減少；軽減）された形態で相対移動可能となる。つまり、玉掛け作業時にスリングは環状挿通部及びスリング挿通孔内で円滑に移動できるので、引っ掛かりに伴う損傷や摩擦熱を生じにくくなる。
【００１１】
このように、例えば、環状挿通部とフックとが一体形のスリング保持部材（特許文献１参照）を用い、スリング挿通孔に係合部が形成されたスリング挿通補助部材を付加する（組み合わせる）ことによって、非玉掛け作業時の滑落防止と玉掛け作業時の円滑移動とが達成される。しかも、荷吊り用具の取り扱い性の向上や玉掛け作業の効率化を容易にかつ安価に図ることができる。
【００１２】
なお、フックには、基端部側と先端部側とが突出方向に延びる回転軸線（フック中心線）の周りに相対回転可能な回転部を設けて、玉掛け作業時（すなわち、スリング緊張時）・非玉掛け作業時（すなわち、スリング弛緩時）を問わず、スリングでのキンクの発生を防止するようにしてもよい。
【００１３】
ここで、スリング挿通補助部材は、スリング保持部材の環状挿通部を移動方向の両側から挟むように一対設けられるとともに、本体部が環状挿通部内で背中合わせとなるようにそれぞれ挿入されて互いに固着されていることが望ましい。一対のスリング挿通補助部材がスリング保持部材の環状挿通部を両側から挟むことによって環状挿通部が補強され、スリング挿通補助部材を環状挿通部に固着（固定）する場合のように環状挿通部の強度を低下させないため、荷吊り用具による玉掛け作業の安全性が高くなり、荷吊り用具が長寿命となる。なお、一対のスリング挿通補助部材の固着手段として、溶着・溶接・接着・ねじ止め・リベット締め等の各種手段を採用できる。
【００１４】
また、係合部が形成されたスリング挿通孔のフック突出側の壁面は、移動方向から見て突出方向のフック突出側とは反対側に向けて連続的又は断続的（段階的）に幅拡大する形態を有することにより、係合部のロープ状スリング（の素線）への食い込みがよくなり、非玉掛け作業時の滑落防止効果が大きくなる。一方、製造（組立）時には、吊り荷の形態（例えば、大きさ、形状、性状）等に応じて、断面積（断面直径）が異なるロープ状スリングにもスリング保持部材及びスリング挿通補助部材を共用できるようになるため、荷吊り用具を安価に製造できる。
【００１５】
さらに、係合部は、スリング挿通孔のフック突出側の壁面において、移動方向に沿って互いに平行な筋状に形成された複数の凹部又は凸部を含んで構成される場合がある。スリング挿通孔のフック突出側の壁面に移動方向に沿って平行な筋状凹凸部（例えば、溝状の窪みや爪状の突起）を形成することによって、非玉掛け作業時（すなわち、スリング弛緩時）に、作業者が筋状凹凸部をスリング表面に係合操作すれば、フック（スリング保持部材）の滑落を防止できる。特に、表面が滑りやすいワイヤロープスリングにおいて、滑落防止効果が大きい。一方、玉掛け作業時（すなわち、スリング緊張時）には、筋状凹凸部とスリング表面との係合を解除しておけばよい。
【００１６】
例えば、係合部は、スリング挿通孔のフック突出側の壁面を展開したとき、山型を構成する両側の稜線部の交点を通りこれら稜線部のなす角を分割する基準線が突出方向のフック中心線と一致するように形成されたへリングボーン形状を呈するように形成する場合がある。スリング挿通孔のフック突出側の壁面にへリングボーン形状（herringbone shape；すなわちニシンの骨形状）の係合部を形成することによって、へリングボーンの先端部がロープ状スリングの素線（ワイヤ、合成繊維等）間に鋭く食い込んでフック（スリング保持部材）の滑落を防止できる。また、基準線が稜線部のなす角を等分割するように、へリングボーン形状の各山型を配置すれば、フック（スリング保持部材）を上下反転した場合にも同様に使用できる。
【００１７】
他方、係合部は、スリング挿通孔のフック突出側とは反対側の壁面又は環状挿通部の外周面に（例えば、移動方向に沿って）形成された１又は複数の凹部又は凸部を含んで構成される場合がある。スリング挿通孔のフック突出側とは反対側の壁面又は環状挿通部の外周面に凹凸部（例えば、溝状の窪みや爪状の突起）を形成することによって、非玉掛け作業時（すなわち、スリング弛緩時）に、作業者が凹凸部をスリング表面に係合操作すれば、フック（スリング保持部材）の滑落を防止できる。特に、上記したスリング挿通孔のフック突出側の壁面の筋状凹凸部と併用すれば、滑落防止効果が大きい。一方、玉掛け作業時（すなわち、スリング緊張時）には、凹凸部とスリング表面との係合を解除しておけばよい。
【００１８】
そして、上記課題を解決するために、以上で述べた荷吊り用具に用いられるスリング挿通補助部材は、スリング保持部材の環状挿通部に固定・保持され、スリング挿通孔にスリングが挿通されることを特徴とする。これによって、スリング挿通補助部材を準備しておけば、環状挿通部とフックとが一体形のスリング保持部材（特許文献１参照）から、非玉掛け作業時の滑落防止と玉掛け作業時の円滑移動とが可能な荷吊り用具を安価に製造することができる。しかも、スリング挿通孔のフック突出側の壁面が、移動方向から見て突出方向のフック突出側とは反対側に向けて連続的又は断続的（段階的）に幅拡大する形態を有する場合には、断面積（断面直径）が異なるロープ状スリングにもスリング保持部材及びスリング挿通補助部材を共用できるようになるため、荷吊り用具をさらに安価に製造できる。
【００１９】
そして、上記課題を解決するために、以上で述べた荷吊り用具を製造するとき、
スリング保持部材の環状挿通部にスリング挿通補助部材を固定・保持する第一工程と、
スリング保持部材の環状挿通部及びスリング挿通補助部材のスリング挿通孔にスリングを挿通する第二工程と、
スリングの長手方向両端にアイ部をそれぞれ形成する第三工程と、を含むことを特徴とする。
【００２０】
このように、環状挿通部及びフックが一体形のスリング保持部材（特許文献１参照）とスリング挿通補助部材とロープ状スリングとを順次組み立てることによって、非玉掛け作業時の滑落防止と玉掛け作業時の円滑移動とが可能な荷吊り用具を安価に製造することができる。
【００２１】
そのうちの第一工程において、一対のスリング挿通補助部材の本体部をスリング保持部材の環状挿通部内で背中合わせとなるようにそれぞれ挿入して、フランジ部を環状挿通部にそれぞれ着座させ、本体部同士を固着して一体化することによって、一対のスリング挿通補助部材を環状挿通部に固定・保持することが好ましい。このように、複雑な構造や組立方法を用いなくても、一対のスリング挿通補助部材がスリング保持部材の環状挿通部を両側から挟み、本体部同士が固着一体化されることによって環状挿通部が補強され、スリング挿通補助部材を環状挿通部に固着（固定）する場合のように環状挿通部の強度を低下させない。そのため、このようにして組み立てられた荷吊り用具は、玉掛け作業の際の安全性が高くかつ安価で長寿命となる。
【００２２】
なお、本明細書において「ロープ状のスリング」とは、吊上げ対象物（吊り荷等）に掛け回され、巻上機の外部フック等に掛止されて玉掛け（荷掛け・荷外し）作業を行うためのロープ状の玉掛け用具の総称である（ＪＩＳ  Ｂ０１４８-1998（巻上機―用語）参照）。したがって、「ロープ状のスリング」には、ワイヤロープスリング（ＪＩＳ  Ｂ８８１７-1991）や合成繊維製のロープスリング等が含まれる。これらのロープスリングは、吊上げ対象物に２回（ダブルスリングともいう）あるいはそれ以上に掛け回して用いてもよい。
【発明を実施するための最良の形態】
【００２３】
（実施例）
以下、図面を参照しながら発明の実施の形態について説明する。図１は本発明に係る荷吊り用具を用いた玉掛け作業の一例を示す全体斜視図及び要部拡大図、図２はその荷吊り用具の正面断面図及び平面図である。図１に示すように、荷吊り用具７は、長手方向両端にアイ部１１ａ，１１ｂが形成された捻り鋼線製で複数（例えば２本）の両端アイ形ワイヤロープスリング（以下、単にスリングともいう）１１と、両アイ部１１ａ，１１ｂの間でそれぞれのスリング１１の長手方向に移動自在に取り付けられたスリング保持部材４２０と、スリング保持部材４２０に固定されたスリング挿通補助部材４３０と、を備えている。
【００２４】
それぞれのスリング１１は、一端側のアイ部１１ａが巻上機（図示せず）等の外部フックＨに掛止され、吊り荷Ｇ（吊上げ対象物）に１回（１周）分掛け回されている。それぞれのスリング保持部材４２０は、構造用合金鋼（例えばクロムモリブデン鋼）製の円環状のリング部４２１（環状挿通部；スリング挿通部）と、他端側のアイ部１１ｂを掛止可能な構造用合金鋼（例えばクロムモリブデン鋼）製のフック２２と、を有している。
【００２５】
このうち、リング部４２１は、内部を貫通してスリング１１が挿通されているので、スリング１１の長手方向（移動方向；上下方向）に沿って（相対）移動可能である。一方、フック２２は、その基端部２２ａがリング部４２１と一体的に形成（固定）・支持され、先端部２２ｂがスリング１１の直径方向（突出方向；前後方向）に突出し、スリング１１の他端側のアイ部１１ｂを掛け止めているので、リング部４２１とともにスリング１１に対して移動方向に（相対）移動可能である。
【００２６】
さらに、スリング挿通補助部材４３０は、リング部４２１の内側に挿入される本体部４３１と、リング部４２１に着座するフランジ部４３２と、を有しており、リング部４２１に固定・保持されている。具体的には、図２（ａ）に示すように、スリング挿通補助部材４３０は、リング部４２１を移動方向の両側から挟むように一対設けられている。各スリング挿通補助部材４３０は、本体部４３１がリング部４２１内で背中合わせとなるようにそれぞれ挿入され、本体部４３１同士をリベット締め４４０することによって互いに固着・一体化され、リング部４２１からの抜け止めがなされている。このように、スリング挿通補助部材４３０はリング部４２１に直接的に固定されていないので、リング部４２１（ひいてはフック２２やスリング保持部材４２０全体）の強度を低下させることがない。
【００２７】
そして、スリング挿通補助部材４３０の本体部４３１には、スリング１１を挿通するために、移動方向に沿ってスリング挿通孔４３１ａが貫通形成され、そのスリング挿通孔４３１ａのフック突出側の壁面４３１ｋには、スリング１１と係合する挿通孔側凹凸４３１ｊ（例えば凹部；係合部；摺動抵抗付与部；移動阻止手段）が形成されている。具体的には、図２（ａ）に示すように、スリング１１の表面１１ｃに係合可能な複数（例えば６条）の挿通孔側凹部４３１ｊが、移動方向に沿って互いに平行な筋状に形成されている。この挿通孔側凹部４３１ｊは、荷掛け前又は荷外し後の非玉掛け作業時（すなわち、スリング弛緩時；図３参照）にスリング１１の表面１１ｃに係合して、リング部４２１（スリング保持部材４２０）とスリング１１との相対移動を阻止することができる（図４参照）。
【００２８】
このようなスリング挿通孔４３１ａのフック突出側の壁面４３１ｋは、移動方向から見てフック突出側とはスリング１１を挟んで反対側（後方側）に向けて直線で連続的に幅拡大して後方開口するＶ字状形態を有している。これによって、挿通孔側凹部４３１ｊのスリング１１の素線への食い込みがよくなるので、非玉掛け作業時のスリング保持部材４２０の滑落を防げる。また、壁面４３１ｋのＶ字状形態を利用して、断面積（断面直径）が異なるスリング１１をスリング挿通孔４３１ａに挿通でき、スリング挿通補助部材４３０の共用化を図ることができる。
【００２９】
また、２２ｄは、アイ部１１ｂの抜け出しを防止するためにフック２２の先端部２２ｂに取り付けられた外れ止めである。さらに、リング部４２１とフック２２とは鍛造等によって一体成形してスリング保持部材４２０としている。なお、スリング１１でのキンクの発生を防止するために、突出方向に延びるフック中心線Ｏ（図２参照）の周りに基端部２２ａ側と先端部２２ｂ側とを相対回転させる回転部を設けてもよい。
【００３０】
次に、このような荷吊り用具７の作用（作動）について説明する。
（１）非玉掛け作業時（図３，図４参照）
荷掛け前又は荷外し後の非玉掛け作業時（すなわち、スリング弛緩時；図３）に、作業者がフック２２の先端部２２ｂを下方（図４（ａ）矢符方向）へ回動すると、スリング挿通孔４３１ａのフック突出側の壁面４３１ｋに形成された挿通孔側凹部４３１ｊがスリング１１の表面１１ｃに係合する。挿通孔側凹部４３１ｊの係合に伴う摺動抵抗（摩擦）によって、スリング挿通補助部材４３０（リング部４２１）とスリング１１との相対移動が阻止され、スリング保持部材４２０の滑落が防止されるので、安全性が確保されるとともに、次回の玉掛け作業に要する時間が短縮される。
【００３１】
（２）玉掛け作業時（図１，図２参照）
玉掛け作業時（すなわち、作業者によりフック２２の先端部２２ｂにスリング１１を掛け止める際、及び／又は巻上機等の外部フックＨにより吊り荷Ｇを吊り上げる際のようなスリング緊張時；図１）には、スリング挿通孔４３１ａのフック突出側の壁面４３１ｋに形成された挿通孔側凹部４３１ｊは、スリング１１の表面１１ｃとの係合が解除された状態となる（図２）。したがって、スリング挿通補助部材４３０（リング部４２１）とスリング１１との摺動抵抗（摩擦）が緩和（減少；軽減）されて相対移動可能となる。つまり、玉掛け作業時にスリング１１はリング部４２１及びスリング挿通補助部材４３０内で円滑に移動できるようになり、吊り荷Ｇの上部でスリング１１は徐々に締め込まれ（絞り込まれ）る。
【００３２】
次に、図５を参照して、このような荷吊り用具７の製造方法について説明する。
（１）第一工程
スリング保持部材４２０のリング部４２１にスリング挿通補助部材４３０を固定・保持する。具体的には、一対のスリング挿通補助部材４３０の本体部４３１をスリング保持部材４２０のリング部４２１内で背中合わせとなるようにそれぞれ挿入し、フランジ部４３２をリング部４２１にそれぞれ着座させる（図５（ａ））。次に、本体部４３１同士を１又は複数ヶ所（例えば、Ｖ字状の壁面４３１ｋを挟む２ヶ所）でのリベット締め４４０によって固着して一体化する（図５（ｂ））。
【００３３】
（２）第二工程
スリング保持部材４２０のリング部４２１とスリング挿通補助部材４３０のスリング挿通孔４３１ａとにスリング１１を挿通する（図５（ｂ））。このとき、スリング挿通孔４３１ａのフック突出側の壁面４３１ｋはＶ字状形態を有しているので、断面積（断面直径）が異なるスリング１１をスリング挿通孔４３１ａに挿通できる（図８参照）。
【００３４】
（３）第三工程
スリング１１の長手方向両端にアイ部１１ａ，１１ｂをそれぞれ形成する（図３参照）。
【００３５】
図６及び図７に、スリング挿通孔４３１ａを構成するフック突出側の壁面４３１ｋの変形例を示す。図６に示す挿通孔側凹部４３１ｊは、魚（ニシン）の骨のように複数の山型４３１ｍを並べたへリングボーン形状を有している。そして、山型４３１ｍを構成する両側の稜線部の交点を通りこれら稜線部のなす角δ（例えばδ≒９０°）を等分割する基準線がフック中心線Ｏと一致するように形成されている。なお、山型４３１ｍを構成する両側の稜線部のなす角δは通常６０°〜１２０°に設定される。
【００３６】
図７（ａ）に示すスリング挿通孔４３１ａは、図６と同様に、開口幅が直線で連続的に拡大するＶ字状形態で後方開口されている。ただし、挿通孔側凹部４３１ｊは、片側の壁面４３１ｋに形成された互いに平行な直線状の複数（例えば３条）の溝４３１ｎで構成されている。また、図７（ｂ）に示すスリング挿通孔４３１ａは、開口幅が曲線で連続的に拡大する擬似Ｕ字状形態で後方開口されている。さらに、図７（ｃ）に示すスリング挿通孔４３１ａは、開口幅が断続的（段階的）に拡大するＶ字状形態で後方開口されている。
【００３７】
図９にスリング挿通補助部材４３０の変形例を示す。図９に示すスリング挿通補助部材４３０では、スリング挿通孔４３１ａが後方開口せず、フランジ部４３２が後方側でリング部４２１の内周縁とほぼ一致する形態でスリング挿通孔４３１ａを閉鎖する形状を有している。そして、スリング挿通孔４３１ａの後方開口を閉鎖するフランジ部４３２には、後方側からスリング１１に係合するフランジ部側凹凸４３２ｉ（例えば凹部；係合部；摺動抵抗付与部；移動阻止手段）が形成されている。このフランジ部側凹部４３２ｉは、非玉掛け作業時にスリング１１に係合してスリング保持部材４２０の滑落を防止する。
【００３８】
実施例に記載したような複数の両端アイ形ワイヤロープスリング１１は、図１に示すように、鉄パイプのような細くて長い多数の吊り荷Ｇを一度に玉掛けする場合等に適している。なお、スリング挿通補助部材４３０は、リング部４２１やフック２２（スリング保持部材４２０）とは別体で構成することができるので、焼入れを施すことによって、スリング挿通孔４３１ａのフック突出側の壁面４３１ｋに形成された挿通孔側凹部４３１ｊの強度向上を図り、長期にわたり安全性を保持することができる。
【００３９】
以上で説明した実施例・変形例において、スリング１１やスリング保持部材４２０、スリング挿通補助部材４３０の材質等は記載のものに限定されない。
【図面の簡単な説明】
【００４０】
【図１】本発明に係る荷吊り用具を用いた玉掛け作業の一例を示す全体斜視図及び要部拡大図。
【図２】図１の荷吊り用具の正面断面図及び平面図。
【図３】非玉掛け作業時におけるワイヤロープスリングの弛緩状態を示す図１の荷吊り用具の全体斜視図。
【図４】図３の要部正面断面図及び平面図。
【図５】図１の荷吊り用具の製造工程を説明する平面図。
【図６】スリング挿通孔壁面の変形例を示す平面拡大図及び展開図。
【図７】スリング挿通孔壁面の他の変形例を示す説明図。
【図８】異なる径のワイヤロープスリングを組み付けたときの荷吊り用具の平面図。
【図９】スリング挿通補助部材の変形例を示す平面図。
【符号の説明】
【００４１】
７              荷吊り用具
１１            両端アイ形ワイヤロープスリング（スリング）
１１ａ          アイ部
１１ｂ          アイ部
４２０          スリング保持部材
４２１          リング部（環状挿通部；スリング挿通部）
２２            フック
２２ａ          基端部
２２ｂ          先端部
４３０          スリング挿通補助部材
４３１          本体部
４３１ａ        スリング挿通孔
４３１ｊ        挿通孔側凹部（係合部；摺動抵抗付与部；移動阻止手段）
４３２          フランジ部
４３２ｉ        フランジ部側凹部（係合部；摺動抵抗付与部；移動阻止手段）
Ｇ              吊り荷（吊上げ対象物）
Ｈ              外部フック
Ｏ              フック中心線
【図１】
2006069717.tif 000003
【図２】
2006069717.tif 000004
【図３】
2006069717.tif 000005
【図４】
2006069717.tif 000006
【図５】
2006069717.tif 000007
【図６】
2006069717.tif 000008
【図７】
2006069717.tif 000009
【図８】
2006069717.tif 000010
【図９】
2006069717.tif 000011